(57)【特許請求の範囲】
【請求項１】
競泳競技の競泳者が登るプラットホームを有する飛び込み台に取り付けられるスタート補助装置であって、
水泳プールの壁面に沿うように配置されるとともに、競技スタート時に背泳競技者の足を支持する足置台と、
前記足置台と連結された一対の連結部と、
前記一対の連結部を支持する支持部と、
を有し、
前記支持部は、前記プラットホームにおける前記水泳プール側とは反対側の後端部においてのみ設けられたアタッチメントを介して、前記プラットホームに着脱可能に固定され、
前記アタッチメントは、前記支持部に設けた把手部を把持して前記プラットホームの上面の法線方向にスライドさせることにより、前記支持部を前記プラットホームに着脱可能な連結部材を備える、
ことを特徴とするスタート補助装置。
【請求項２】
前記飛び込み台は、前記プラットホームの上面に配置され、前記競泳者の足置用のフットレストを有し、
前記支持部は、前記フットレストを挟んで前記水泳プールとは反対側に配置される、
ことを特徴とする請求項１に記載のスタート補助装置。
【請求項３】
前記フットレストは、前記水泳プールに対して接近離間するように配置位置が調整可能とされ、
前記支持部は、前記水泳プールから最も離間した位置に固定された前記フットレストよりも、前記水泳プールから離間した位置に配置される、
ことを特徴とする請求項２に記載のスタート補助装置。
【請求項４】
前記足置台は、前記水泳プールの前記壁面に対向する面に滑り止め部を有する、
ことを特徴とする請求項１から３のいずれか１項に記載のスタート補助装置。
【発明の詳細な説明】
【技術分野】
【０００１】
本発明は、スタート補助装置に関するものである。
【背景技術】
【０００２】
従来、競泳競技用の飛び込み台には、背泳用のスタート補助装置が取り付けられている。例えば、特許文献１に記載のスタート補助装置は、水泳プールの壁面に沿って配置される足置台と、足置台の両端部に連結された一対の連結部と、一対の連結部を支持する支持部と、を有し、支持部が飛び込み台のプラットホームを支持する台座部に取り付けられている。
【先行技術文献】
【特許文献】
【０００３】
【特許文献１】米国特許出願公開第２０１４／０１６５２８２号明細書
【発明の概要】
【発明が解決しようとする課題】
【０００４】
しかしながら、飛び込み台の台座部の形状は、一般に設置先の水泳プールの仕様（例えば、プールサイドの形状等）に合せて変更される。このため、上記のスタート補助装置は、取付先の台座部の形状に合わせて構成を適宜変更する必要がある。したがって、従来のスタート補助装置にあっては、汎用性が低いという課題があった。
【０００５】
そこで本発明は、汎用性の高いスタート補助装置を提供するものである。
【課題を解決するための手段】
【０００６】
本発明のスタート補助装置は、競泳競技の競泳者が登るプラットホームを有する飛び込み台に取り付けられるスタート補助装置であって、水泳プールの壁面に沿うように配置されるとともに、競技スタート時に背泳競技者の足を支持する足置台と、前記足置台と連結された一対の連結部と、前記一対の連結部を支持する支持部と、を有し、前記支持部は、前記プラットホームにおける前記水泳プール側とは反対側の後端部においてのみ設けられたアタッチメントを介して、前記プラットホームに着脱可能に固定され、前記アタッチメントは、前記支持部に設けた把手部を把持して前記プラットホームの上面の法線方向にスライドさせることにより、前記支持部を前記プラットホームに着脱可能な連結部材を備える、ことを特徴とする
一般に飛び込み台の台座部の形状は、設置先の水泳プールの仕様（例えば、プールサイドの形状等）に合せて変更される。これに対して、台座部の上部に取り付けられるプラットホームは、形状や構成等が規格化されている。本発明によれば、スタート補助装置の支持部が規格化されたプラットホームに取り付けられるため、スタート補助装置の設置先の水泳プールの仕様に関わらず、支持部の形状や取り付け構造を同一とすることができる。したがって、設置先の水泳プールの仕様に合わせて適宜設計を変更することなく、スタート補助装置を飛び込み台に取り付けることができるので、汎用性の高いスタート補助装置とすることができる。
しかも、スタート補助装置の支持部は、プラットホームにおける水泳プールとは反対側の一端部に固定されているため、競泳者がプラットホームの上面の全体を使える状態とすることができる。このため、競泳者がプラットホーム上に立ち、水泳プールに向かって飛び込む際に、支持部が邪魔にならない。これにより、例えばメドレーリレーにおいて、背泳競技者が競技を開始した後、次に飛び込み台を使用する競泳者がプラットホーム上に立つまでに、スタート補助装置を飛び込み台から取り外す必要がなくなる。したがって、運用が容易なスタート補助装置とすることができる。
また、支持部がプラットホームに着脱可能に固定されるため、スタート補助装置を長時間に亘って使用しない場合等に、スタート補助装置を飛び込み台から容易に取り外すことができる。
また、支持部が把手部を有するため、スタート補助装置の持ち運びや着脱を容易にすることができる。
【０００７】
上記のスタート補助装置において、前記飛び込み台は、前記プラットホームの上面に配置され、前記競泳者の足置用のフットレストを有し、前記支持部は、前記フットレストを挟んで前記水泳プールとは反対側に配置される、ことが望ましい。
本発明によれば、支持部がフットレストを挟んで水泳プールとは反対側に配置されるため、プラットホーム上に立つ競泳者に対して、支持部が邪魔になることを防止できる。これにより、飛び込み台がフットレストを有する場合であっても、背泳競技者が競技を開始した後、次に飛び込み台を使用する競泳者がプラットホーム上に立つまでに、スタート補助装置を飛び込み台から取り外す必要がなくなる。したがって、フットレストを有する飛び込み台に取り付け可能な、運用が容易でかつ汎用性の高いスタート補助装置とすることができる。
【０００８】
上記のスタート補助装置において、前記フットレストは、前記水泳プールに対して接近離間するように配置位置が調整可能とされ、前記支持部は、前記水泳プールから最も離間した位置に固定された前記フットレストよりも、前記水泳プールから離間した位置に配置される、ことが望ましい。
本発明によれば、支持部が、水泳プールから最も離間した位置に固定されたフットレストよりも、水泳プールから離間した位置に配置されるため、フットレストをいずれの位置に配置しても、プラットホーム上に立つ競泳者に対して、支持部が邪魔になることを防止できる。これにより、フットレストがその配置位置を調整可能とされていても、背泳競技者が競技を開始した後、次に飛び込み台を使用する競泳者がプラットホーム上に立つまでに、スタート補助装置を飛び込み台から取り外す必要がなくなる。したがって、運用が容易でかつ汎用性の高いスタート補助装置とすることができる。
【０００９】
上記のスタート補助装置において、前記支持部は、前記プラットホームの前記一端部に設けられたアタッチメントを介して、前記プラットホームに着脱可能に固定される、ことが望ましい。
本発明によれば、支持部がプラットホームに着脱可能に固定されるため、スタート補助装置を長時間に亘って使用しない場合等に、スタート補助装置を飛び込み台から容易に取り外すことができる。
【００１０】
上記のスタート補助装置において、前記支持部は、把手部を有する、ことが望ましい。
本発明によれば、支持部が把手部を有するため、スタート補助装置の持ち運びや着脱を容易にすることができる。
【００１１】
上記のスタート補助装置において、前記足置台は、前記水泳プールの前記壁面に対向する面に滑り止め部を有する、ことが望ましい。
本発明によれば、足置台が水泳プールの壁面に対向する面に滑り止め部を有するため、水泳プールの壁面と足置台との摩擦力を増大させることができる。これにより、背泳競技者が競技スタート時に足置台を蹴る際に、足置台が水泳プールの壁面に対してずれることを防止できる。
【発明の効果】
【００１２】
本発明によれば、スタート補助装置の支持部が規格化されたプラットホームに取り付けられるため、スタート補助装置の設置先の水泳プールの仕様に関わらず、支持部の形状や取り付け構造を同一とすることができる。したがって、設置先の水泳プールの仕様に合わせて適宜設計を変更することなく、スタート補助装置を飛び込み台に取り付けることができるので、汎用性の高いスタート補助装置とすることができる。
しかも、スタート補助装置の支持部は、プラットホームにおける水泳プールとは反対側の一端部に固定されているため、競泳者がプラットホームの上面の全体を使える状態とすることができる。このため、競泳者がプラットホーム上に立ち、水泳プールに向かって飛び込む際に、支持部が邪魔にならない。これにより、例えばメドレーリレーにおいて、背泳競技者が競技を開始した後、次に飛び込み台を使用する競泳者がプラットホーム上に立つまでに、スタート補助装置を飛び込み台から取り外す必要がなくなる。したがって、運用が容易なスタート補助装置とすることができる。
【図面の簡単な説明】
【００１３】
【図１】飛び込み台およびスタート補助装置の斜視図である。
【図２】飛び込み台およびスタート補助装置の側面図である。
【図３】飛び込み台およびスタート補助装置の正面図である。
【図４】飛び込み台の斜視図である。
【図５】スタート補助装置の斜視図である。
【図６】スタート補助装置の斜視図である。
【発明を実施するための形態】
【００１４】
以下、本発明の実施形態を図面に基づいて説明する。
（飛び込み台）
最初に、本実施形態のスタート補助装置３０が取り付けられる飛び込み台１０について説明する。
【００１５】
図１は、飛び込み台およびスタート補助装置の斜視図である。図２は、飛び込み台およびスタート補助装置の側面図である。図３は、飛び込み台およびスタート補助装置の正面図である。
図１に示すように、プール施設Ｐは、周囲を壁面２により囲まれた貯水部分１（以下、「水泳プール１」という。）と、水泳プール１の周囲に設けられたプールサイド３と、を有している。以下の説明では、飛び込み台１０のプラットホーム１７に立つ競泳者が水泳プール１に向かって飛び込む方向を前方と定義し、その反対側を後方と定義する。また、前後方向および上下方向に直交する方向を左右方向と定義する。
飛び込み台１０は、水泳プール１の周囲に設けられたプールサイド３に配置される。飛び込み台１０は、プールサイド３の上面３ａに固定された台座部１１と、台座部１１の上部に固定された、競泳競技の競泳者が登るプラットホーム１７と、プラットホーム１７の上面１７ａに固定された、競泳者の足置用のフットレスト２０と、を有する。
【００１６】
台座部１１は、脚部１２と、手摺部１３と、側板部１６と、を有する。
脚部１２は、例えばステンレス等により形成された棒状部材であって、上下方向に沿うように複数（本実施形態では４本）配置されている。各脚部１２の下端部は、プールサイド３の上面３ａに固定されている。脚部１２は、一対の前側脚部１２Ａと、一対の後側脚部１２Ｂ（図４参照）と、を含んでいる。
【００１７】
手摺部１３は、脚部１２と同様に、例えばステンレス等により形成された棒状部材である。手摺部１３は、前後方向から見て上方に開口するＵ字状の本体部１４を有する。本体部１４は、下部において左右方向に沿って延在する第１把持部１４ａと、第１把持部１４ａの両端部から上方に向かって延びる一対の前側接続部１４ｂと、各前側接続部１４ｂの上端部から後方に向かって延びる一対の上側接続部１４ｃと、を有する。本体部１４は、１本の棒状部材に対して曲げ加工を行うことで形成されている。第１把持部１４ａは、一対の前側脚部１２Ａの前方に配置されている。第１把持部１４ａの長さは、一対の前側脚部１２Ａの離間距離と同等となっている（図３参照）。上側接続部１４ｃは、前側脚部１２Ａおよび後側脚部１２Ｂの上端部に対して、外側からボルト等の締結部材により固定されている。第１把持部１４ａの上方には、第２把持部１５が設けられている。第２把持部１５は、左右方向に沿って延在している。第２把持部１５は、両端部が一対の前側接続部１４ｂに接続している。
【００１８】
側板部１６は、隣り合う各脚部１２の間に複数（本実施形態では４個）配置されている。各側板部１６は、例えばステンレス等により形成された板状部材である。側板部１６は、プールサイド３の上面３ａに固定されている。各側板部１６に囲まれた空間には、計器類を収容可能とされている。
【００１９】
プラットホーム１７は、平面視で前後方向を長手方向とする矩形状の板状部材である。プラットホーム１７の上面１７ａは、平坦に形成されている。プラットホーム１７の上面１７ａは、後方から前方に向かうにしたがい低くなるように傾斜している。プラットホーム１７の上面１７ａは、粒子を含む塗装を施す等により、滑り止め加工が施されている。
【００２０】
プラットホーム１７の左右方向に面する両側面には、ガイド孔１８が形成されている。図２に示すように、ガイド孔１８は、左右方向から見てプラットホーム１７の上面１７ａに沿うように延在する長孔として形成されている。ガイド孔１８には、下方に向かって切り込まれた切欠部１８ａが、ガイド孔１８の延在方向に沿って間隔をあけて複数形成されている。ガイド孔１８には、フットレスト２０に設けられた後述するシャフト２１が挿通される。
【００２１】
図４は、飛び込み台の後方から見た斜視図である。
図４に示すように、プラットホーム１７の後端部１７ｂには、一対の連結部材２２（請求項の「アタッチメント」に相当。）が左右方向に間隔をあけて設けられている。各連結部材２２は、プラットホーム１７の上面１７ａの法線方向Ｌ１に沿って一様に延びる一対の金具２２ａを有している。一対の金具２２ａは、プラットホーム１７の後端部１７ｂから後方に向かって立設し、先端部において互いに近付く方向に屈曲している。このとき、一対の金具２２ａの先端部同士は、離間している。各連結部材２２には、後述するスタート補助装置３０の係合突起４１が係合される。
【００２２】
図１に示すように、プラットホーム１７の下部には、一対の連結板１９が下方に向けて突設されている。各連結板１９は、前後方向に沿って延びる板状の部材であり、左右方向に間隔をあけて配置されている。各連結板１９は、台座部１１の前側脚部１２Ａおよび後側脚部１２Ｂに対して、ボルト等の締結部材により固定されている。プラットホーム１７は、一対の連結板１９を介して台座部１１に取り付けられている。
【００２３】
フットレスト２０は、左右方向に沿って延在するブロック状の部材である。図２に示すように、フットレスト２０は、左右方向から見て三角形状に形成されている。フットレスト２０の前面２０ａは、後方から前方に向かうにしたがい低くなるように傾斜している。フットレスト２０の前面２０ａの水平面に対する傾斜角は、プラットホーム１７の上面１７ａの水平面に対する傾斜角よりも大きくなっている。
【００２４】
フットレスト２０の下部には、左右方向に延在する一対のシャフト２１が取り付けられている。一対のシャフト２１は共に、プラットホーム１７の左右両側面に形成された一対のガイド孔１８に挿通されている。フットレスト２０は、シャフト２１をガイド孔１８内で移動させることで、プラットホーム１７の上面１７ａに沿って前後にスライド移動可能となっている。また、フットレスト２０は、シャフト２１を切欠部１８ａに入り込ませることで、切欠部１８ａの位置に応じた位置に係止される。これにより、フットレスト２０は、水泳プール１に対して接近離間するように配置位置が調整可能とされている。
【００２５】
（スタート補助装置）
次に本実施形態のスタート補助装置３０について説明する。
図１に示すように、スタート補助装置３０は、飛び込み台１０に取り付けられている。スタート補助装置３０は、水泳プール１の壁面２に沿うように配置される足置台３１と、足置台３１と連結される一対の帯部３５（請求項の「連結部」に相当。）と、一対の帯部３５を支持する支持部３７と、を有する。なお、以下のスタート補助装置３０の説明では、特に記載のない限り、飛び込み台１０に取り付けられた状態にあるスタート補助装置３０について説明する。
【００２６】
図５は、スタート補助装置の斜視図であり、主に足置台を後方から見た斜視図である。
図５に示すように、足置台３１は、競技スタート時に背泳競技者の足を支持するために用いられる。足置台３１は、左右方向に沿って延在する三角柱状に形成されている。足置台３１は、水泳プール１の壁面２（図１参照）に対向する後面３１ａと、後面３１ａの上端辺に接続される前面３１ｂと、後面３１ａの下端辺に直交して接続される下面３１ｃと、を有する。後面３１ａと前面３１ｂとの交差角は、１０°程度になっている。下面３１ｃの幅は、例えば２０ｍｍ程度となっている。
【００２７】
足置台３１の後面３１ａには、第１滑り止め部３２（請求項の「滑り止め部」に相当。）が設けられている。第１滑り止め部３２は、例えば多数の凹凸を有する。これにより、水泳プール１の壁面２と足置台３１の後面３１ａとの摩擦力が増大し、背泳競技者が競技スタート時に足置台３１を蹴る際に、足置台３１が水泳プール１の壁面２に対してずれることを防止している。
【００２８】
図１に示すように、足置台３１の前面３１ｂには、第２滑り止め部３３が設けられている。第２滑り止め部３３は、第１滑り止め部３２と同様に、例えば多数の凹凸を有する。これにより、背泳競技者が競技スタート時に足置台３１を蹴る際に、背泳競技者の足が足置台３１から滑ることを防止している。
【００２９】
一対の帯部３５は、変形自在で、かつ伸縮性が低い材料により形成されることが好ましく、例えばポリプロピレンやポリエチレン等により形成されたベルト状の部材が好適である。一対の帯部３５は、それぞれ一端部において足置台３１の左右両端部に接続されている。一対の帯部３５は、足置台３１の端部から水泳プール１の壁面２に沿って上方に向かって延び、プールサイド３の上面３ａの縁において後方に向かって屈曲して支持部３７に接続している。
【００３０】
支持部３７は、主軸部３８と、主軸部３８を軸支する円筒部３９と、主軸部３８の両端部に設けられた一対のドラム部４０と、を有する。
主軸部３８は、左右方向に沿って延在する横断面視円形状の棒部材である。主軸部３８の長さ寸法は、飛び込み台１０のプラットホーム１７の左右方向における幅寸法よりも長くなっている。
【００３１】
円筒部３９は、主軸部３８の中央部に外嵌されている。円筒部３９の長さ寸法は、飛び込み台１０のプラットホーム１７の左右方向における幅寸法と同等となっている。円筒部３９は、主軸部３８と同軸に配置されている。
【００３２】
図６は、スタート補助装置の斜視図であり、主に支持部を前方から見た斜視図である。
図６に示すように、円筒部３９には、プラットホーム１７に向かって突出した一対の係合突起４１が設けられている。各係合突起４１は、プラットホーム１７の上面１７ａ（図４参照）の法線方向Ｌ１から見て先端が基端よりも拡幅されたＴ字状に形成されている。各係合突起４１は、その先端が一対の連結部材２２（図４参照）にそれぞれ挿入可能とされている。これにより、支持部３７は、連結部材２２を介してプラットホーム１７に着脱可能に固定されている。ここで、図１および図４に示すように、連結部材２２がプラットホーム１７の後端部１７ｂに設けられているため、支持部３７は、プラットホーム１７に取り付けられた状態において、フットレスト２０を挟んで水泳プール１とは反対側に配置される。さらに、支持部３７は、最後部に固定されたフットレスト２０よりもさらに後方に配置される。
【００３３】
図６に示すように、円筒部３９の上部には、把手部４２が設けられている。把手部４２は、前後方向から見て下方に開口するＵ字状に形成されている。把手部４２は、左右両側の下端部において円筒部３９に接続している。また把手部４２は、支持部３７がプラットホーム１７に取り付けられた状態において、プラットホーム１７の上面１７ａの法線方向Ｌ１に突出している。把手部４２と円筒部３９との接続位置は、左右方向において係合突起４１と円筒部３９との接続位置と略一致している。ここで、スタート補助装置３０を飛び込み台１０から取り外す場合は、把手部４２を握り支持部３７をプラットホーム１７の上面１７ａの法線方向Ｌ１にスライドさせるだけでよく、取り外しが容易な構成となっている。
【００３４】
一対のドラム部４０は、巻胴部４０ａと、巻胴部４０ａの両端に設けられた鍔部４０ｂとを有する。各ドラム部４０には、帯部３５の他端部が接続されており、帯部３５を巻回可能とされている。各ドラム部４０は、支持部３７と同軸に配置されているとともに支持部３７に対して固定されている。
【００３５】
支持部３７には、足置台３１の位置を調整する位置調整機構４５が設けられている。位置調整機構４５は、付勢部材４６と、ロック機構４７と、を有する。付勢部材４６は、例えばバネ等であって、円筒部３９の一端部の内側に配置されている。付勢部材４６は、主軸部３８を円筒部３９に対して、主軸部３８の軸方向（左右方向）における円筒部３９の一端部よりも外側（一方側）に向かって付勢している。ロック機構４７は、円筒部３９の他端側に設けられている。ロック機構４７は、主軸部３８が円筒部３９に対して回転自在となる状態（以下、「回転状態」という。）と、主軸部３８が円筒部３９に対して固定される状態（以下、「固定状態」という。）と、の状態を移行可能とされている。具体的に、ロック機構４７は、主軸部３８が付勢部材４６により円筒部３９に対して主軸部３８の軸方向における一方側に向かって押し付けられている状態では、主軸部３８を固定状態とする。また、ロック機構４７は、主軸部３８が作業者等により円筒部３９に対して主軸部３８の軸方向における他方側に向かって引っ張られている状態では、主軸部３８を回転状態とする。
【００３６】
一対のドラム部４０は、位置調整機構４５により回転状態とされた主軸部３８の回転に連動して回転する。すなわち、位置調整機構４５により主軸部３８を回転状態にして、一対のドラム部４０を回転させることで、帯部３５を巻き取ったり巻き戻したりすることができる。これにより、図１に示すように、足置台３１と支持部３７との離間距離が調整され、水泳プール１の壁面２に沿うように配置された足置台３１の位置（高さ）が調整される。
【００３７】
このように、本実施形態のスタート補助装置３０は、水泳プール１の壁面２に沿うように配置されるとともに、競技スタート時に背泳競技者の足を支持する足置台３１と、足置台３１と連結された一対の帯部３５と、一対の帯部３５を支持する支持部３７と、を有する。支持部３７は、プラットホーム１７の後端部１７ｂに固定されている。
【００３８】
一般に飛び込み台１０の台座部１１の形状は、設置先の水泳プール１の仕様（例えば、プールサイド３の形状等。）に合せて変更される。これに対して、台座部１１の上部に取り付けられるプラットホーム１７は、形状や構成等が規格化されている。
本発明によれば、スタート補助装置３０の支持部３７が規格化されたプラットホーム１７に取り付けられるため、設置先の水泳プール１の仕様に関わらず、支持部３７の形状や取り付け構造を同一とすることができる。したがって、設置先の水泳プール１の仕様に合わせて適宜設計を変更することなく、スタート補助装置３０を飛び込み台１０に取り付けることができるので、汎用性の高いスタート補助装置３０とすることができる。
【００３９】
しかも、スタート補助装置３０の支持部３７は、プラットホーム１７の後端部１７ｂに固定されているため、競泳者がプラットホーム１７の上面１７ａの全体を使える状態とすることができる。このため、競泳者がプラットホーム１７上に立ち、水泳プール１に向かって飛び込む際に、支持部３７が邪魔にならない。これにより、例えばメドレーリレーにおいて、背泳競技者が競技を開始した後、次に飛び込み台１０を使用する競泳者がプラットホーム１７上に立つまでに、スタート補助装置３０を飛び込み台１０から取り外す必要がなくなる。すなわち、足置台３１を水中から取り出してプラットホーム１７の上面１７ａを通過させてプールサイド３の上面３ａに置くだけでよく、スタート補助装置３０を飛び込み台１０から取り外す必要はない。したがって、運用が容易なスタート補助装置３０とすることができる。
【００４０】
また、支持部３７がフットレスト２０を挟んで水泳プール１とは反対側に配置されるため、プラットホーム１７上に立つ競泳者に対して、支持部３７が邪魔になることを防止できる。これにより、飛び込み台１０がフットレスト２０を有する場合であっても、背泳競技者が競技を開始した後、次に飛び込み台１０を使用する競泳者がプラットホーム１７上に立つまでに、スタート補助装置３０を飛び込み台１０から取り外す必要がなくなる。
しかも支持部が、最後部に固定されたフットレスト２０よりもさらに後方に配置されるため、フットレスト２０をいずれの位置に配置しても、プラットホーム１７上に立つ競泳者に対して、支持部３７が邪魔になることを防止できる。これにより、フットレスト２０がその配置位置を調整可能とされていても、背泳競技者が競技を開始した後、次に飛び込み台１０を使用する競泳者がプラットホーム１７上に立つまでに、スタート補助装置３０を飛び込み台１０から取り外す必要がなくなる。したがって、フットレスト２０を有する飛び込み台１０に取り付け可能な、運用が容易でかつ汎用性の高いスタート補助装置とすることができる。
【００４１】
また、支持部３７がプラットホーム１７に着脱可能に固定されるため、スタート補助装置３０を長時間に亘って使用しない場合等に、スタート補助装置３０を飛び込み台１０から容易に取り外すことができる。
また、支持部３７が把手部４２を有するため、スタート補助装置３０の持ち運びや着脱を容易にすることができる。
これにより、例えばメドレーリレーにおいて、背泳競技者が競技を開始した後、次に飛び込み台１０を使用する競泳者がプラットホーム１７上に立つまでに、スタート補助装置３０を飛び込み台１０から取り外す場合であっても、着脱が容易であるため競技に支障をきたさない。
【００４２】
なお、本発明は、図面を参照して説明した上述の実施形態に限定されるものではなく、その技術的範囲において様々な変形例が考えられる。
例えば、上記実施形態においては、足置台３１と支持部３７とが変形自在な一対の帯部３５により連結されていたが、これに限定されず、足置台３１と支持部３７とが例えば金属材料等により形成された棒状部材により連結されていてもよい。
【００４３】
また、上記実施形態においては、支持部３７がプラットホーム１７に対して連結部材２２を介して取り付けられていたが、これに限定されず、支持部材がプラットホームに対して締結固定等により直接取り付けられていてもよい。
【００４４】
その他、本発明の趣旨を逸脱しない範囲で、上記した実施の形態における構成要素を周知の構成要素に置き換えることは適宜可能である。
【符号の説明】
【００４５】
１…水泳プール  ２…壁面  １０…飛び込み台  １７…プラットホーム  １７ａ…プラットホームの上面  １７ｂ…プラットホームの後端部（一端部）  ２０…フットレスト  ２２…連結部材  ３０…スタート補助装置  ３１…足置台  ３２…第１滑り止め部（滑り止め部）  ３５…帯部（連結部）  ３７…支持部  ４２…把手部
【図１】
0006623448.tif 000002
【図２】
0006623448.tif 000003
【図３】
0006623448.tif 000004
【図４】
0006623448.tif 000005
【図５】
0006623448.tif 000006
【図６】
0006623448.tif 000007